(57)【要約】【課題】  簡単な構成で電源コードや電気機器に接続されるケーブル類を容易に纏めることができる電気機器のスタンド装置を提供する。【解決手段】  電気機器として液晶テレビＴ１の筐体１に連結されたスタンド１０を備えるスタンド装置は、筐体１の後ケース３のコネクタやジャック類８に接続されるケーブル類７を纏める係合部として円形の係合孔１２を備えている。係合孔１２はスタンドの外周辺として下辺に開口する開口部１３が形成されており、この開口部からケーブル類を挿入することができる。スタンド１０は筐体１の背面に揺動可能に連結されている。【選択図】  図１
2006119370.tif 000002
【特許請求の範囲】
【請求項１】
電気機器の筐体に連結されたスタンドを備える装置であって、
該スタンドは筐体に接続されるケーブル類を纏める係合部を備えることを特徴とする電気機器のスタンド装置。
【請求項２】
前記係合部は、スタンドを貫通する係合孔であることを特徴とする請求項１に記載の電気機器のスタンド装置。
【請求項３】
前記係合部は、スタンドの外周辺に開口部を有していることを特徴とする請求項１または２に記載の電気機器のスタンド装置。
【請求項４】
前記係合部の開口部は、前記スタンドの下辺に開口していることを特徴とする請求項３に記載の電気機器のスタンド装置。
【請求項５】
前記開口部に近接して、ケーブル類の脱出防止用の突起を備えることを特徴とする請求項３または４に記載の電気機器のスタンド装置。
【請求項６】
前記突起の材質は弾性体であることを特徴とする請求項５に記載の電気機器のスタンド装置。
【請求項７】
前記スタンドは、筐体の背面に揺動可能に連結されていることを特徴とする請求項１〜６のいずれかに記載の電気機器のスタンド装置。
【請求項８】
前記スタンドは、底板部と柱状部とを備えており、柱状部が筐体に連結されていることを特徴とする請求項１〜６のいずれかに記載の電気機器のスタンド装置。
【請求項９】
請求項１〜８のいずれかに記載のスタンド装置を備える薄型表示装置。
【請求項１０】
前記薄型表示装置は、ＬＣＤ、ＰＤＰ、ＥＬ、ＳＥＤ、ＬＥＤ、ＶＦＤ、ＦＥＤの各パネルのうち少なくとも一つのパネルを用いたことを特徴とする請求項９に記載の薄型表示装置。
【発明の詳細な説明】
【技術分野】
【０００１】
本発明は、電気機器のスタンド装置に係り、特に、電気機器の背面等に接続されるコードやケーブル類を整然と纏めることができる電気機器のスタンド装置と、このスタンド装置を備える表示装置に関する。
【背景技術】
【０００２】
従来の電源コードやケーブル類を処理する配線処理構造として、例えば特許文献１に記載のディスプレイ支持装置における配線処理構造は、一端に固定基部、他端にディスプレイが設けられたアームによりディスプレイを任意方向に移動自在に支持しており、アームの少なくとも一部が平行リンクにより構成され、ディスプレイの少なくとも上下移動が、平行リンクの回動により行われるようになっており、また、平行リンクを構成する外壁により形成される内部空間内に、平行リンクを上方に付勢する付勢手段が収納され、付勢手段の外周面に沿うように区画部材が設けられ、区画部材の外側にカバー部材が取り付けられ、区画部材とカバー部材とで形成される間隙を配線収納空間としている。
【特許文献１】特開２０００−３４７５８０号公報
【発明の開示】
【発明が解決しようとする課題】
【０００３】
ところで、前記特許文献１に記載の配線処理構造では、電源コードやケーブル類を収容する空間は、平行リンクの内部空間内に収容された付勢手段の外周面に沿わせて区画部材と、その外側のカバー部材とで形成されるため、構成が複雑となってしまう。また、電源コードやケーブル類はカバー部材と区画板との間に形成される配線収納空間内から第２垂直軸の配線収納空間の上部から下部へ挿通させた後、下方に延出させるため、収納作業が煩雑となる。特に、テレビジョン受像機やＰＣモニター等の表示装置と外部インターフェイス機器を接続したり、システム機器を接続変更する時には各種接続ケーブル類を頻繁に挿脱する場合が生じ、このような場合収納作業がさらに煩雑となる。
【０００４】
本発明は、このような問題に鑑みてなされたものであって、その目的とするところは、簡単な構成で電源コードや電気機器に接続されるケーブル類を容易に纏めることができる電気機器のスタンド装置を提供することにある。また、コードやケーブル類を容易に纏めることができるとともに、結束バンドや特別の固定具なしに前記コードやケーブル類の脱落を防止できる電気機器のスタンド装置を使用し、コード類が整然と纏められ体裁の良い表示装置を提供することにある。
【課題を解決するための手段】
【０００５】
前記目的を達成すべく、本発明に係る電気機器のスタンド装置は、電気機器の筐体に連結されたスタンドを備える装置であって、このスタンドは筐体に接続されるケーブル類を纏める係合部を備えることを特徴としている。スタンドは薄型の筐体を起立させるものであり、ケーブル類としては電源コードやＤＶＤ装置やＶＴＲ装置と接続するケーブル等がある。係合部としては、ケーブル類を貫通させる係合孔や、係合孔の一部が開口している係合部、ケーブル類を纏めて挿入できる係合凹部等が好ましい。
【０００６】
前記のごとく構成された本発明の電気機器のスタンド装置は、筐体の背面等に接続される電源コードやケーブル類を係合部に通して、あるいは係合部に挿入することでケーブル類を纏めることができ、薄型の筐体を起立させることができる。このため、例えば液晶テレビ等の背面にＶＴＲ装置やＤＶＤ装置を接続するとき、これらの装置と液晶テレビとを接続するケーブル類を纏めて見た目を美しくすることができる。また、ケーブル類が纏められるため、特定のケーブルに大きな負荷が係ることを防止でき、断線や接触不良を防止できる。さらに、電気機器周辺の清掃が容易に行えて好ましい。
【０００７】
本発明に係る電気機器のスタンド装置の好ましい具体的な他の態様としては、前記係合部は、スタンドを貫通する係合孔であることを特徴としている。係合孔の形状は特に問わないが、円形が好ましい。この構成によれば、電気機器に接続されるコードやケーブル類を係合孔に通して纏めることができるため、美観を向上できる。ケーブル類を係合孔に貫通させるので、纏められたケーブル類が外れることがない。
【０００８】
また、前記の係合部は、スタンドの外周辺に開口していることが好ましい。係合部の形状は開口部の入口幅が小さく、奥のケーブル収容部の幅が広くなっている。係合部がスタンドの外周辺に開口していると、コードやケーブル類を開口から係合部に進入させて纏めることができ、係合部が開口していない場合と比べてコードやケーブル類を容易に纏めることができて好ましい。前記係合部の開口部は、前記スタンドの下辺に開口していると好適である。この構成によれば、スタンド下辺の開口部はスタンド使用時にはテーブル等の載置面に接しており、開口部は載置面で閉じられるためケーブル類が係合孔から脱出することを防止できる。
【０００９】
さらに、前記開口部に近接して、ケーブルの脱出防止用の突起を備えることが好ましい。ケーブル脱出用の突起は、開口部に近接して、上方に向けて突出すると好適である。このように突起を備えると、係合部内に位置するケーブル類が、その自重で係合部の内周に沿って移動しても、突起により移動が阻止されるため開口部から抜け出ることを防止でき、一度纏めたケーブル類が係合部から抜け出してバラバラになるのを防止できて好ましい。
【００１０】
前記突起の材質は弾性体であることが好ましい。ケーブル類の脱出防止用の突起を弾性体で形成すると、ケーブル類を開口部から係合部に挿入して係合させるとき、突起が弾性変形するため挿入が容易に行える。また、ケーブル類を挿入したあとは突起は、その弾力で復帰するため、ケーブル類の係合部からの脱出を効果的に防止できる。
【００１１】
前記スタンドは、筐体の背面に揺動可能に連結されていることが好ましい。このように構成された電気機器のスタンド装置は、スタンドを筐体の背面から揺動させることにより筐体を傾斜状態で起立させることができ、特に、電気機器が液晶テレビのように薄型の筐体を有する場合に安定して起立でき、起立させるスタンドの係合部により筐体に接続されたケーブル類を纏めることができて好都合である。
【００１２】
また、前記スタンドは、底板部と柱状部とを備えており、柱状部が筐体に連結されていることが好ましい。このように構成された電気機器のスタンド装置は、スタンドの底板部を例えば机上に載置し、底板部と一体に形成された柱状部が筐体に連結されているため、電気機器の筐体を安定した状態で起立させることができる。特に、前記のスタンド装置を備える電気機器が薄型の液晶テレビ等の薄型表示装置の場合、筐体に接続されたケーブル類を、起立させるスタンドの係合部に係合させて纏めることができて好都合である。前記薄型表示装置は、ＬＣＤ、ＰＤＰ、ＥＬ、ＳＥＤ、ＬＥＤ、ＶＦＤ、ＦＥＤの各パネルのうち少なくとも一つのパネルを用いたものが好適である。
【発明の効果】
【００１３】
本発明の電気機器のスタンド装置は、機器ケースを構成する筐体に接続されるケーブル類を纏めることができるため、見栄えを良くすることができ、ケーブル類の断線や接触不良を防止できると共に接続ミスを防ぐことができる。特に、液晶テレビ等の薄型の表示装置は、ＤＶＤ装置やＶＴＲ装置等の記録再生装置と多数のケーブルを接続するが、このように接続されたケーブル類をスタンドの係合部により整然と束ねることができ、体裁を良くすることができる。
【発明を実施するための最良の形態】
【００１４】
以下、本発明に係る電気機器のスタンド装置の一実施形態を図面に基づき詳細に説明する。図１は、本実施形態に係る電気機器のスタンド装置を備える液晶テレビを後方から見た斜視図、図２は、図１のスタンドの変形例を示す要部正面図、図３は、図１のスタンドの他の変形例を示す液晶テレビを後方から見た斜視図である。
【００１５】
図１において、本実施形態の電気機器のスタンド装置を用いた液晶テレビＴ１は、筐体１と、この筐体に連結されたスタンド１０とを備えている。筐体１は前ケース２と後ケース３とから構成され、２つのケース２，３の間に液晶表示パネルや回路基板（図示せず）等を内蔵している。そして、スタンド１０は後ケース３の裏面に揺動可能に支持されている。スタンド１０は例えば後ケース３の中央部あるいは上部中央に固定されたスタンド受部材１１に、スタンド１０の上部がヒンジピン（図示せず）を中心として揺動できるように連結されており、薄型の筐体１を起立させる機能を有する。機器ケースを構成する筐体１、スタンド１０およびスタンド受部材１１は樹脂で形成されている。
【００１６】
本実施形態のスタンド装置を用いた液晶テレビＴ１は、筐体１内に薄型の液晶表示パネルを内蔵している薄型表示装置であるが、液晶表示（ＬＣＤ）パネル以外の表示パネルを内蔵したものでもよい。すなわち、ＬＣＤパネルの他に、ＰＤＰ（Ｐｌａｓｍａ  Ｄｉｓｐｌａｙ  Ｐａｎｅｌ）、ＥＬ（Ｅｌｅｃｔｒｏ  Ｌｕｍｉｎｅｓｃｅｎｃｅ）パネル、ＳＥＤ（Ｓｕｒｆａｃｅ−ｃｏｎｄｕｃｔｉｏｎ  Ｅｒｅｃｔｒｏｎ−ｅｍｉｔｔｅｒ  Ｄｉｓｐｌａｙ）パネル、ＬＥＤ（Ｌｉｇｈｔ  Ｅｍｉｔｔｉｎｇ  Ｄｉｏｄｅ）パネル、ＶＦＤ（Ｖａｃｕｕｍ  Ｆｌｕｏｒｅｓｃｅｎｔ  Ｄｉｓｐｌｙ、蛍光表示管）パネル、ＦＥＤ（Ｆｉｅｌｄ  Ｅｍｉｓｓｉｏｎ  Ｄｉｓｐｌｙ）パネル等の表示パネルを筐体１内に設置して薄型表示装置としてもよい。
【００１７】
筐体１には上部にチャンネル切換やボリウム変更の操作スイッチ類４が配置され、背面の側部に凹部５，６が形成され、この凹部内にはケーブル類７が接続されるコネクタやジャック類８が固定されている。例えば、ＶＨＦ信号やＵＨＦ信号が供給されるコネクタ、映像信号や音声信号を入力あるいは出力するジャック類、Ｓ端子といわれる映像信号や音声信号を入力あるいは出力するジャック類８等が配置されている。コネクタやジャック類は図示のようなピンコネクタに限らず、Ｄ−ｓｕｂ等の他の種類のコネクタでもよい。なお、ケーブル類としては、図示していないが電源コードであってもよい。
【００１８】
スタンド１０は液晶テレビＴ１の薄型の筐体１を傾斜状態に起立させることができるものであり、後ケース３から揺動させて広げたとき、スタンド１０の底面が机上等の載置面と接触して筐体１の底辺と共に液晶テレビＴ１を起立できる構成である。したがって、スタンド１０は液晶テレビＴ１を起立させるための所定の強度を得ることができるように肉厚に形成されている。スタンド１０は使用時以外、例えば梱包するときは筐体１の後ケース３と密着させて収納し、筐体１を薄型にできる。
【００１９】
本実施形態のスタンド１０は、下方が幅広に形成され、この幅広部分に係合部として円形の係合孔１２が形成されている。そして、円形の係合孔１２は外周辺であるスタンドの下辺（底辺）に開口し、開口部１３が形成されている。この係合孔１２の直径は複数のコードやケーブル類７を挿入できるように２０〜３０ｍｍ程度に設定されている。そして、開口部１３の幅は、ケーブル類を通しやすいように５〜１０ｍｍ程度に設定されている。すなわち、係合孔１２の形状は、入口幅が小さく、奥のケーブル収容部の幅が大きく形成されている。スタンド１０の底辺には、滑り防止のためにゴム脚１４，１４が固定されている。
【００２０】
また、係合部の変形例として、図２に示される係合孔１５は、開口部１６に近接して係合孔内に挿入されたケーブル類の脱出を防止する突起１７，１７が形成されている。すなわち、開口部１６の両側の内周面に、内側すなわち上方に向けて２本の突起１７，１７が形成されている。２本の突起１７，１７は円柱状あるいは上部にアールをつけた直方体状等に形成され、係合孔１５に挿入されたケーブル類が自重により内周面に沿って移動する際に、引掛かって脱出しにくくする機能を有している。なお、突起の形状は、ケーブル類の移動を阻止する形状であれば、どのような形状でもよい。
【００２１】
突起１７、１７の材質は、例えばゴム等の弾性体であることが好ましい。突起１７，１７を弾性体で形成すると、開口部１６から係合孔１５にケーブル類７を挿入して係合させるとき、突起が弾性変形するため挿入が容易となる。また、ケーブル類７を係合孔１５に挿入したあとは、突起が弾力で復帰するため、ケーブル類が係合孔から脱出するのを効果的に防止できる。開口部の幅をケーブル類の直径より小さくしておき、挿入する際に突起部分を押し広げて挿入するように構成すれば、挿入後にケーブル類が脱出しにくくなる。突起をゴムで形成する場合、ゴム脚１４と一体的に形成してスタンド１０に嵌め込んで固定してもよい。また、スタンドに圧入用の穴を形成しておき、この穴にゴム製の突起を圧入して固定してもよい。
【００２２】
さらに、係合部の変形例として、図３に示される係合孔２０は、スタンド１０の上部に形成された円形の貫通孔である。この係合孔２０はスタンド１０Ａの外周辺に開口していないため、ケーブル類７は例えばスタンド１０の筐体１側より係合孔２０に挿入され、引き出されて纏められる。反対側から挿入してジャック類８に接続してもよい。これにより、一度挿入されたケーブル類７は脱出することはない。なお、係合孔２０はスタンド１０の下方に形成してもよく、その位置は問われない。また、係合孔２０の形状は円形に限らず、楕円形や四角形等、適宜の形状とすることができる。
【００２３】
前記の如く構成された本実施形態の電気機器のスタンド装置を備える液晶テレビＴ１の動作について以下に説明する。液晶テレビＴ１を使用するときは、電源コードをコンセントに繋げると共に、付属させるＤＶＤ装置やＶＴＲ装置等の装置とケーブル類７を接続する。すなわち、図示していないＤＶＤ装置やＶＴＲ装置のコネクタやジャックと、液晶テレビＴ１のコネクタやジャック類８とをケーブル７で接続する。複数本のケーブル７は、筐体１の背面側でスタンド１０の係合孔１２に開口部１３から挿入され、係合されて纏められる。このように、結束バンドや特別の固定具なしにコードやケーブル類７を纏めることができる。
【００２４】
すなわち、ケーブル類７はスタンド１０の下辺の開口部１３から係合孔１２内に挿入され、複数本のケーブル類は係合孔１２内で束ねられる。液晶テレビＴ１の背面から延出するケーブル類７は、スタンド１０の係合孔１２で纏められるため、体裁が良くなって美観が向上する。また、液晶テレビＴ１を載置するテーブルや机等の上面を清掃するとき、ケーブル類７が纏まっているため容易に清掃することができる。さらに、特定のケーブルに大きな負荷がかかりにくいため、断線や接触不良を防ぐことができる。纏められたケーブル類７は同軸ケーブルのように信号線の外周をシールドしているため、隣接するケーブルの影響を受けることは少ない。係合孔１２の開口部１３は載置面で閉じられるため、ケーブル類７は開口部から脱出しない。
【００２５】
また、図２に示される係合孔１５のように、開口部１６に近接して上方に突出する突起１７，１７が形成されている場合は、係合孔１５内に位置するケーブル類７が、その自重で内周面に沿って下方に移動しても突起１７に接触し、それ以上の移動が阻止されるため、係合孔１５からケーブル類７が脱出することは防止される。突起１７の内周面からの高さは、挿入されるケーブル類の直径より大きいことが好ましい。なお、図１のように、係合孔１２に突起が形成されていなくても、ケーブル類の入口である開口部１３の幅が小さく、内部のケーブル収納部が幅広であるため、ケーブル類は一旦挿入されると脱出しにくい形状となっている。
【００２６】
図３に示される係合孔２０の場合は、ケーブル類７は係合孔２０に貫通され、筐体側の端部がコネクタやジャック類８に接続される。そして、図示していない端部はＤＶＤ装置やＶＴＲ装置に接続され、またＴＶ信号が供給される端子に接続される。図示していない電源コードも係合孔２０を通して接続すると好ましい。この変形例の係合孔２０は外周辺に連通する開口部が形成されていないため、スタンド１０の係合孔２０に係合されたケーブル類７は外れることがなく好ましい。このように、結束バンドや特別の固定具なしにコードやケーブル類７を纏めることができると共に、ケーブル類の脱落を防止することができる。
【００２７】
スタンド１０，１０Ａは、梱包時あるいは収納時にはたたまれて後ケース３に密着しているため、嵩張らなくて好ましい。後ケース３から離した状態に揺動させると、筐体１の底辺と共にテーブル等の載置面に対接して、薄型で自立不能な液晶テレビＴ１の筐体１を傾斜状態に安定して起立させることができる。図１のスタンド１０では、下端部にゴム脚１４，１４が固定されているため、テーブル等に載置したときに筐体１が滑ることを防止できる。
【００２８】
本発明の他の実施形態を図４，５に基づき詳細に説明する。図４は本発明に係る電気機器のスタンド装置を備える液晶テレビの他の実施形態を後方から見た斜視図、図５は図４のスタンドの要部を示す斜視図である。なお、この実施形態は前記した実施形態に対し、スタンドは筐体に揺動可能に連結されず、底板部と柱状部とを備えて電気機器の筐体を起立させることができるものであることを特徴とする。そして、他の実質的に同等の構成については同じ符号を付して詳細な説明は省略する。
【００２９】
この実施形態の液晶テレビＴ２は、薄型の機器ケースである筐体１の下方にスタンド３０が固定されており、このスタンドは前記の実施形態のように筐体に対して揺動するものではなく、底板部３１と柱状部３２とからなる固定式のスタンドである。すなわち、スタンド３０は机上等に載置される底板部３１を備えており、この底板部から上方に延出する柱状部３２に筐体１が連結されている。なお、図示していないが、柱状部３２と筐体１との結合部には、筐体１を水平方向に回転させることができる旋回機構や、筐体１を上下方向に回転させ機器ケース部分を上向きあるいは下向きにする回転機構を備えるように構成してもよい。
【００３０】
この実施形態のスタンド３０は、底板部３１にコードやケーブル類を纏める係合部３５が形成されている。底板部３１の後方の、柱状部３２の裏側となって正面から見えにくい個所に凹形状の係合部３５が形成され、後方に開口して開口部３６が形成されている。この実施形態の係合部３５は前記の実施形態と同様に、開口部３６の入口幅は５〜１０ｍｍ程度となっており、奥のケーブル収容部は横が３０ｍｍ程度で縦が２０ｍｍ程度の楕円形状となっている。そして、係合部３５の入口を構成する開口部３６の２本の突出している爪状部３７，３７は厚さが薄く形成され、テーブルや机等の載置面から５〜１０ｍｍ程度浮いた状態となっている。すなわち、このスタンド３０を机上等に設置すると、係合部３５の周囲の爪状部３７，３７は机上面から離れ、５〜１０ｍｍ程度の隙間ｄが形成され、ケーブル類７をこの間隙内に位置させることができる構成となっている。
【００３１】
このように構成された本実施形態の液晶テレビＴ２では、電源コードやケーブル類７を筐体１の背面のジャック類８に接続したあと、ケーブル類の途中部分を開口部３６から係合部３５内に挿入する。この後、ケーブル類７を爪状部３７，３７の下の隙間ｄ内に位置させ、複数のケーブル類７を係合部３５内に整然と纏めることができる。ケーブル類７は爪状部３７の下面に弾接して、開口部３６から脱出するのが防止される。これにより、複数のケーブル類７がバラバラになることを防止でき、ケーブル類７の断線や接触不良を防止でき、体裁を良くすることができる。このように、結束バンドや特別の固定具なしにコードやケーブル類７を纏めることができる。
【００３２】
なお、図示していないが、爪状部の下面に凹凸を形成しておくと、ケーブル類が下面の凹凸に弾接してケーブル類の脱出防止がより効果的である。また、ケーブル類の入口を構成する開口部に、弾性変形が可能の抜け止め片を形成し、ケーブル類の脱出を阻止するように構成してもよい。さらに、開口部を塞ぐように付勢された脱出防止片をスタンドに揺動可能に支持してもよい。
【００３３】
以上、本発明の実施形態について詳述したが、本発明は、前記の実施形態に限定されるものではなく、特許請求の範囲に記載された本発明の精神を逸脱しない範囲で、種々の設計変更を行うことができるものである。例えば、スタンドは樹脂製の例を示したが、金属製のスタンドでもよいし、スタンドを貫通する係合孔部周辺のみ樹脂製または金属製としてもよい。金属製のスタンドとしては、アルミニウムの押出し材、板金材、ダイキャスト等、適宜のものを用いることができる。
【００３４】
また、係合部の形状や、係合孔の直径、開口部の隙間は前記の寸法に限られるものでなく、纏められるコードやケーブル類の直径に合わせて、適宜設定できるものである。さらに、係合部として、スタンドの側辺に開口する凹部を形成し、この凹部の入口幅を小さく形成してもよい。スタンドに複数の係合部を形成し、接続される装置ごとにケーブルを纏めるようにしてもよい。すなわち、スタンドの右側にＤＶＤ装置用の係合部を形成し、スタンドの左側にＶＴＲ装置用の係合部を形成する等、適宜の変更が可能である。
【産業上の利用可能性】
【００３５】
本発明の活用例として、このスタンド装置を用いてパーソナルコンピュータのモニター装置や携帯端末型表示装置にも適用でき、各表示装置のスタンドにコードやケーブル類を整然と纏めることができる係合部を形成して見栄えを向上させ、ケーブル類の脱落および断線や接触不良を防止することができる。
【図面の簡単な説明】
【００３６】
【図１】本発明に係る電気機器のスタンド装置を備える液晶テレビの一実施形態を示す後方から見た斜視図。
【図２】図１のスタンドの変形例を示す要部正面図。
【図３】図１のスタンドの他の変形例を示す液晶テレビを後方から見た斜視図。
【図４】本発明に係る電気機器のスタンド装置を備える液晶テレビの他の実施形態を示す後方から見た斜視図。
【図５】図４のスタンドの要部を示す斜視図。
【符号の説明】
【００３７】
１：筐体（機器ケース）、７：ケーブル類、８：コネクタやジャック類、１０，１０Ａ，３０：スタンド、１２，１５，２０：係合孔（係合部）、１３，１６，３６：開口部、１７：脱出防止用突起、３１：底板部、３２：柱状部、３５：係合部、３７：爪状部、Ｔ１，Ｔ２：液晶テレビ（電気機器）、ｄ：隙間
【図１】
2006119370.tif 000003
【図２】
2006119370.tif 000004
【図３】
2006119370.tif 000005
【図４】
2006119370.tif 000006
【図５】
2006119370.tif 000007